(57)【要約】【課題】            変速巻線と主巻線、補助巻線との相間電圧を小さくして絶縁紙をなくす。【解決手段】        主巻線１と補助巻線２を直列に接続し、その主巻線１に並列に起動用コンデンサ３を接続するか、補助巻線２に直列に起動用コンデンサ３を接続し、これらを主巻線１と並列に接続するかしたコンデンサ誘導電動機について、速度調整用の変速巻線４を設け、主巻線１と補助巻線２と変速巻線４の接続部の少なくとも一つを分離し、その分離端に強弱切換えスイッチ５を設ける。【選択図】          図１
2008167611.tif 000002
【特許請求の範囲】
【請求項１】
補助巻線に直列に起動用コンデンサを接続し、これらを主巻線と並列に接続したコンデンサ誘導電動機であって、速度調整用の変速巻線を設け、前記主巻線と前記補助巻線と前記変速巻線の接続部の少なくとも一つを分離し、その分離端に接続切換手段を設けたコンデンサ誘導電動機。
【請求項２】
主巻線と補助巻線を直列に接続し、その主巻線に並列に起動用コンデンサを接続したコンデンサ誘導電動機であって、速度調整用の変速巻線を設け、前記主巻線と前記補助巻線と前記変速巻線の接続部の少なくとも一つを分離し、その分離端に接続切換手段を設けたコンデンサ誘導電動機。
【請求項３】
請求項１又は請求項２のいずれかに記載のコンデンサ誘導電動機であって、主巻線を分離したコンデンサ誘導電動機。
【請求項４】
請求項１又は請求項２のいずれかに記載のコンデンサ誘導電動機であって、補助巻線を分離したコンデンサ誘導電動機。
【請求項５】
請求項１又は請求項２のいずれかに記載のコンデンサ誘導電動機であって、変速巻線を分離したコンデンサ誘導電動機。
【請求項６】
請求項１又は請求項２のいずれかに記載のコンデンサ誘導電動機であって、主巻線と補助巻線と変速巻線を分離したコンデンサ誘導電動機。
【請求項７】
請求項１から請求項６までのいずれかに記載のコンデンサ誘導電動機であって、変速巻線を主巻線に巻込んだコンデンサ誘導電動機。
【請求項８】
請求項１から請求項６までのいずれかに記載のコンデンサ誘導電動機であって、変速巻線を補助巻線に巻込んだコンデンサ誘導電動機。
【請求項９】
請求項１から請求項８までのいずれかに記載のコンデンサ誘導電動機であって、変速巻線を複数設けたコンデンサ誘導電動機。
【発明の詳細な説明】
【技術分野】
【０００１】
本発明は、主巻線と補助巻線の他に速度調整のための変速巻線を設けたコンデンサ誘導電動機に関するものである。
【背景技術】
【０００２】
コンデンサ誘導電動機には、交流電源に主巻線と補助巻線を直列に接続し、主巻線にコンデンサを並列接続されたものがある。このようなコンデンサ誘導電動機において速度調整を行う場合、例えば、特許文献１に示されているように補助巻線に変速巻線を重ね巻きして、補助巻線と交流電源との間に接続し、スイッチにより交流電源の接続を変速巻線と補助巻線に切換えることで速度調整をする方法や、主巻線に変速巻線を重ね巻きにして、主巻線と交流電源との間に接続し、スイッチにより交流電源の接続を変速巻線と主巻線に切換えることで速度調整をする方法が採られている。
【０００３】
【特許文献１】特開平７−１２３６５９号公報
【発明の開示】
【発明が解決しようとする課題】
【０００４】
図１９は、特許文献１に示された従来のコンデンサ誘導電動機の回路構成図、図２０は、その強運転時に電動機巻線にかかる電圧のベクトル図である。従来のコンデンサ誘導電動機は、補助巻線１２に重ね巻された変速巻線１１と補助巻線１２と主巻線１３を直列に接続し、その主巻線１３に並列に起動用コンデンサを接続した直列相接続方式のコンデンサ誘導電動機である。交流電源は主巻線１３と切換スイッチ１０に接続され、切換スイッチ１０により交流電源を補助巻線１２と変速巻線１１に接続を切換えることにより速度調整が行われる。交流電源が補助巻線１２に接続される強運転時に電動機の各巻線にかかる電圧は、図２０のベクトル図に示すように、変速巻線１１には補助巻線１２との相互リアクタンスにより電圧が誘起される。これにより、変速巻線１１と主巻線１３、補助巻線１２との相間及び線間電圧が、補助巻線１２と変速巻線１１との巻数比に応じて大きくなる。従って、巻線のレイアショートを防止するための絶縁紙１５を使用したり、巻線の絶縁皮膜を厚くする必要が出てくるため、巻線の挿入性が悪くなったり、スロット内に多くの巻線を巻き込むことができなくなるといった課題があった。主巻線１３に変速巻線１１を重ね巻きし、電源を切換スイッチ１０により切換えて速度調整をする図２１に示す構成を採っても、各巻線にかかる電圧は、図２２のベクトル図に示すように、変速巻線１１と主巻線１３、補助巻線１２との相間及び線間電圧が、主巻線１３と変速巻線１１との巻数比に応じて大きくなる。また、図２３に示すような並列相接続方式についても、図２４のベクトル図のように、変速巻線１１と主巻線１３、補助巻線１２との相間及び線間電圧が、主巻線１３と変速巻線１１との巻数比に応じて大きくなる。
【０００５】
本発明は、上記した問題点を解決するためになされたものであり、その課題とするところは、変速巻線と主巻線、補助巻線との相間及び線間電圧を小さくして、絶縁紙をなくし、巻線の絶縁皮膜を薄くし、巻線の挿入性の向上やスロット内の占積率を下げ、スロット内に多くの巻線を巻き込むことができる変速巻線を有するコンデンサ誘導電動機を得ることである。
【課題を解決するための手段】
【０００６】
上記課題を解決するために本発明は、補助巻線に直列に起動用コンデンサを接続し、これらを主巻線と並列に接続するか、主巻線と補助巻線を直列に接続し、その主巻線に並列に起動用コンデンサを接続したコンデンサ誘導電動機について、速度調整用の変速巻線を設け、主巻線と補助巻線と変速巻線の接続部の少なくとも一つを分離し、その分離端に接続切換手段を設ける手段を採用する。
【発明の効果】
【０００７】
本発明によれば、変速巻線と主巻線、補助巻線との巻数比によらず、相間及び線間電圧を小さくすることができるため、絶縁紙をなくし、巻線の絶縁皮膜を薄くし、巻線の挿入性の向上やスロット内の占積率を下げ、スロット内に多くの巻線を巻き込むことができ、電動機の特性を向上させることができる。
【発明を実施するための最良の形態】
【０００８】
本発明のコンデンサ誘導電動機は、補助巻線に直列に起動用コンデンサを接続し、これらを主巻線と並列に接続する並列相接続方式か、主巻線と補助巻線を直列に接続し、その主巻線に並列に起動用コンデンサを接続した直列相接続方式のコンデンサ誘導電動機である。主巻線または補助巻線のいずれかに速度調整用の変速巻線が重ね巻きして巻込まれている。主巻線と補助巻線と変速巻線の接続部の少なくとも一つを分離し、その分離端に接続切換手段として強弱切換えスイッチを設けている。
【０００９】
本発明のコンデンサ誘導電動機によれば、強運転時の変速巻線電圧のベクトルが補助巻線電圧または主巻線電圧のベクトルに重なり、変速巻線と主巻線、補助巻線との相間及び線間電圧がレイアショートを起こさない程度に小さくなるため、絶縁紙をなくし、巻線の絶縁皮膜を薄くすることができ、巻線の挿入性の向上し、それに伴いスロット内の占積率を下げ、スロット内に多くの巻線を巻き込むことができ、電動機の特性を向上させることができる。
【００１０】
実施の形態１．
図１は、本実施の形態のコンデンサ誘導電動機の回路構成図、図２は、その強運転時に電動機巻線にかかる電圧のベクトル図である。
【００１１】
本実施の形態のコンデンサ誘導電動機は、補助巻線２と主巻線１と主巻線１に重ね巻された変速巻線４を直列に配置し、その主巻線１に並列に起動用コンデンサ３を配置した直列相接続方式のコンデンサ誘導電動機である。主巻線１と変速巻線４の接続部を分離し、その分離端に強弱切換えスイッチ５が配置されている。主巻線始端ａと補助巻線終端ｄは接続され、その接続部と主巻線終端ｂに起動用コンデンサ３が接続されている。補助巻線始端ｃと変速巻線終端ｆに交流電源６が接続されている。主巻線終端ｂと変速巻線始端ｅと変速巻線終端ｆが接続された強弱切換えスイッチ５により、主巻線終端ｂを変速巻線始端ｅと変速巻線終端ｆに接続を切換えることで速度調整が行われる。
【００１２】
これにより、強運転時の変速巻線電圧のベクトルが主巻線電圧のベクトルに図２に示すように重なり、変速巻線４と主巻線１、補助巻線２との相間電圧及び線間電圧を主巻線１と変速巻線４の巻数比によらず低くすることができる。この構成では、強弱切換えスイッチ５は一つで済み、回路構成は簡素である。
【００１３】
実施の形態２．
図３は、本実施の形態のコンデンサ誘導電動機の回路構成図、図４は、その強運転時に電動機巻線にかかる電圧のベクトル図である。
【００１４】
本実施の形態のコンデンサ誘導電動機は、補助巻線２に直列に起動用コンデンサ３を配置し、これらを主巻線１と並列に配置し、主巻線１に主巻線１に重ね巻された変速巻線４を直列に配置した並列相接続方式のコンデンサ誘導電動機である。主巻線１と変速巻線４の接続部を分離し、その分離端に強弱切換えスイッチ５が配置されている。主巻線終端ｂと補助巻線終端ｄに起動用コンデンサ３が接続されている。主巻線始端ａと補助巻線始端ｃは接続され、その接続部と変速巻線終端fに交流電源６が接続されている。主巻線終端bと変速巻線始端eと変速巻線終端fが接続された強弱切換えスイッチ５により、主巻線終端ｂを変速巻線始端ｅと変速巻線終端ｆに接続を切換えることで速度調整が行われる。
【００１５】
これにより、強運転時の変速巻線電圧のベクトルが主巻線電圧のベクトルに図４に示すように重なり、変速巻線４と主巻線１、補助巻線２との相間及び線間電圧を主巻線１と変速巻線４の巻数比によらず低くすることができる。この構成では、強弱切換えスイッチ５は一つで済み、回路構成は簡素である。
【００１６】
実施の形態３．
図５は、本実施の形態のコンデンサ誘導電動機の回路構成図、図６は、その強運転時に電動機巻線にかかる電圧のベクトル図である。
【００１７】
本実施の形態のコンデンサ誘導電動機は、補助巻線２と補助巻線２に重ね巻された変速巻線４と主巻線１を直列に配置し、その主巻線１に並列に起動用コンデンサ３を配置した直列相接続方式のコンデンサ誘導電動機である。主巻線１と変速巻線４及び補助巻線２と変速巻線４の各接続部を分離し、その分離端に強弱切換えスイッチ５，５ａが配置されている。主巻線始端aと主巻線終端bに起動用コンデンサが接続されている。主巻線終端ｂと補助巻線始端ｃに交流電源６が接続されている。変速巻線終端ｆと主巻線始端ａが強弱切換えスイッチ５に接続され、補助巻線終端ｄと主巻線始端ａと変速巻線始端ｅが強弱切換えスイッチ５ａに接続されている。強弱切換えスイッチ５により変速巻線終端ｆを主巻線始端ａから切離すと同時に、強弱切換えスイッチ５ａにより補助巻線終端ｄを主巻線始端ａに接続する強運転、強弱切換えスイッチ５により変速巻線終端ｆと主巻線始端ａを接続すると同時に、強弱切換えスイッチ５ａにより補助巻線終端ｄを変速巻線始端ｅに接続する弱運転により速度調整が行われる。
【００１８】
これにより、強運転時の変速巻線電圧のベクトルが補助巻線電圧のベクトルに図６のように重なり、変速巻線４と主巻線１、補助巻線２との相間及び線間電圧を補助巻線２と変速巻線４の巻数比によらず低くすることができる。この構成では、強弱切換えスイッチ５，５ａは二つ必要である。
【００１９】
実施の形態４．
図７は、本実施の形態のコンデンサ誘導電動機の回路構成図である。本実施の形態のコンデンサ誘導電動機は、補助巻線２に重ね巻された変速巻線４と補助巻線２と主巻線１を直列に配置し、その主巻線１に並列に起動用コンデンサ３を配置した直列相接続方式のコンデンサ誘導電動機である。変速巻線４と補助巻線２の接続部を分離し、その分離端に強弱切換えスイッチ５、５aが配置されている。主巻線始端ａと補助巻線終端ｄは接続され、その接続部と主巻線終端ｂに起動用コンデンサ３が接続されている。主巻線終端ｂには交流電源６の一端が接続されている。交流電源６の他端と変速巻線始端eと補助巻線始端cが強弱切換えスイッチ５に接続され、補助巻線始端cと変速巻線終端fが強弱切換えスイッチ５aに接続されている。強弱切換えスイッチ５により補助巻線始端ｃを変速巻線終端ｆから切離すと同時に、強弱切換えスイッチ５ａにより交流電源６の他端を補助巻線始端ｃに接続する強運転、強弱切換えスイッチ５により補助巻線始端ｃを変速巻線終端ｆに接続すると同時に、強弱切換えスイッチ５ａにより交流電源６の他端を変速巻線始端ｅに接続する弱運転の速度調整が行われる。なお、実施の形態２で示したような並列相接続方式についても同様に実施することができる。
【００２０】
これにより、強運転時の変速巻線電圧のベクトルが補助巻線電圧のベクトルに図６のように重なり、変速巻線４と主巻線１、補助巻線２との相間及び線間電圧を補助巻線２と変速巻線４の巻数比によらず低くすることができる。この構成では、強弱切換えスイッチ５，５ａは二つ必要である。
【００２１】
実施の形態５．
図８は、本実施の形態のコンデンサ誘導電動機の回路構成図、図９は、その強運転時に電動機巻線にかかる電圧のベクトル図である。
【００２２】
本実施の形態のコンデンサ誘導電動機は、補助巻線２と補助巻線２に重ね巻された変速巻線４と主巻線１を直列に配置し、その主巻線１に並列に起動用コンデンサ３を配置した直列相接続方式のコンデンサ誘導電動機である。補助巻線２と変速巻線４の接続部を分離し、その分離端に強弱切換えスイッチ５が配置されている。主巻線始端ａと変速巻線終端ｆは接続され、その接続部と主巻線終端ｂに起動用コンデンサ３が接続されている。主巻線終端ｂと補助巻線始端ｃに交流電源６が接続されている。補助巻線終端ｄと主巻線始端ａと変速巻線始端ｅが接続された強弱切換えスイッチ５により、補助巻線終端ｄを主巻線始端ａと変速巻線始端ｅに接続を切換えることで速度調整が行われる。なお、実施の形態２で示したような並列相接続方式についても同様に実施することができる。
【００２３】
これにより、強運転時の変速巻線電圧のベクトルが補助巻線電圧のベクトルに図９に示すように重なり、変速巻線４と主巻線１、補助巻線２との相間及び線間電圧を補助巻線２と変速巻線４の巻数比によらず低くすることができる。この構成では、強弱切換えスイッチ５は一つで済み、回路構成は簡素である。
【００２４】
実施の形態６．
図１０は、本実施の形態のコンデンサ誘導電動機の回路構成図、図１１は、その強運転時に電動機巻線にかかる電圧のベクトル図である。
【００２５】
本実施の形態のコンデンサ誘導電動機は、補助巻線２に重ね巻された変速巻線４と補助巻線２と主巻線１を直列に配置し、その主巻線１に並列に起動用コンデンサ３を配置した直列相接続方式のコンデンサ誘導電動機である。変速巻線４と補助巻線２の接続部を分離し、その分離端に強弱切換えスイッチ５が配置されている。主巻線始端ａと補助巻線終端dは接続され、その接続部と主巻線終端ｂに起動用コンデンサ３が接続されている。主巻線終端ｂと変速巻線始端eに交流電源６が接続されている。補助巻線始端ｃと変速巻線始端ｅと変速巻線終端ｆが接続された強弱切換えスイッチ５により、補助巻線始端ｃを変速巻線始端ｅと変速巻線終端ｆに接続を切換えることで速度調整が行われる。なお、実施の形態２で示したような並列相接続方式についても同様に実施することができる。
【００２６】
これにより、強運転時の変速巻線電圧のベクトルが補助巻線電圧のベクトルに図１１に示すように重なり、変速巻線４と主巻線１、補助巻線２との相間及び線間電圧を補助巻線２と変速巻線４の巻数比によらず低くすることができる。この構成では、強弱切換えスイッチ５は一つで済み、回路構成は簡素である。
【００２７】
実施の形態７．
図１２は、本実施の形態のコンデンサ誘導電動機の回路構成図、図１３は、その強運転時に電動機巻線にかかる電圧のベクトル図である。
【００２８】
本実施の形態のコンデンサ誘導電動機は、補助巻線２と主巻線１に重ね巻された変速巻線４と主巻線１を直列に配置し、その主巻線１に並列に起動用コンデンサ３を配置した直列相接続方式のコンデンサ誘導電動機である。主巻線１と変速巻線４及び補助巻線２と変速巻線４の各接続部を分離し、その分離端に強弱切換えスイッチ５，５ａが配置されている。主巻線始端aと主巻線終端bに起動用コンデンサが接続されている。主巻線終端ｂと補助巻線始端ｃに交流電源６が接続されている。主巻線始端ａと変速巻線終端ｆが強弱切換えスイッチ５に接続され、補助巻線終端ｄと主巻線始端ａと変速巻線始端eが強弱切換えスイッチ５ａに接続されている。強弱切換えスイッチ５により変速巻線終端ｆを主巻線始端ａから切離すと同時に、強弱切換えスイッチ５ａにより補助巻線終端ｄを主巻線始端ａに接続する強運転、強弱切換えスイッチ５により変速巻線終端ｆと主巻線始端ａを接続すると同時に、強弱切換えスイッチ５ａにより補助巻線終端ｄを変速巻線始端ｅに接続する弱運転により速度調整が行われる。
【００２９】
これにより、強運転時の変速巻線電圧のベクトルが主巻線電圧のベクトルに図１３に示すように重なり、変速巻線４と主巻線１、補助巻線２との相間及び線間電圧を主巻線１と変速巻線４の巻数比によらず低くすることができる。この構成では、強弱切換えスイッチ５，５ａは二つ必要である。
【００３０】
実施の形態８．
図１４は、本実施の形態のコンデンサ誘導電動機の回路構成図である。本実施の形態のコンデンサ誘導電動機は、補助巻線２と主巻線１と主巻線１に重ね巻された変速巻線４を直列に配置し、その主巻線１に並列に起動用コンデンサ３を配置した直列相接続方式のコンデンサ誘導電動機である。変速巻線４と主巻線１の接続部を分離し、その分離端に強弱切換えスイッチ５、５aが配置されている。主巻線始端ａと補助巻線終端ｄは接続され、その接続部と主巻線終端ｂに起動用コンデンサ３が接続されている。補助巻線始端ｃに交流電源６の一端が接続されている。主巻線終端ｂと変速巻線始端ｅが強弱切換えスイッチ５に接続され、交流電源６の他端と主巻線終端ｂと変速巻線終端ｆが強弱切換えスイッチ５ａに接続されている。強弱切換えスイッチ５により主巻線終端ｂを変速巻線始端ｅから切離すと同時に、強弱切換えスイッチ５ａにより交流電源６の他端を、主巻線終端ｂに接続する強運転、強弱切換えスイッチ５により主巻線終端ｂを変速巻線始端ｅに接続すると同時に、強弱切換えスイッチ５ａにより交流電源６の他端を変速巻線終端ｆに接続する弱運転の速度調整が行われる。なお、実施の形態２で示したような並列相接続方式についても同様に実施することができる。
【００３１】
これにより、強運転時の変速巻線電圧のベクトルが主巻線電圧のベクトルに図１３に示すように重なり、変速巻線４と主巻線１、補助巻線２との相間及び線間電圧を主巻線１と変速巻線４の巻数比によらず低くすることができる。この構成では、強弱切換えスイッチ５，５ａは二つ必要である。
【００３２】
実施の形態９．
図１５は、本実施の形態のコンデンサ誘導電動機の回路構成図、図１６は、その強運転時に電動機巻線にかかる電圧のベクトル図である。
【００３３】
本実施の形態のコンデンサ誘導電動機は、補助巻線２と主巻線１に重ね巻された変速巻線４と主巻線１を直列に配置し、その主巻線１に並列に起動用コンデンサ３を配置した直列相接続方式のコンデンサ誘導電動機である。主巻線１と変速巻線４の接続部を分離し、その分離端に強弱切換えスイッチ５が配置されている。主巻線始端ａと主巻線終端ｂに起動用コンデンサ３が接続されている。補助巻線始端ｃと主巻線終端bに交流電源６が接続されている。主巻線始端ａと変速巻線始端ｅと変速巻線終端ｆが接続された強弱切換えスイッチ５により、主巻線始端ａを変速巻線始端ｅと変速巻線終端ｆに接続を切換えることで速度調整が行われる。なお、実施の形態２で示したような並列相接続方式についても同様に実施することができる。
【００３４】
これにより、強運転時の変速巻線電圧のベクトルが主巻線電圧のベクトルに図１６に示すように重なり、変速巻線４と主巻線１、補助巻線２との相間及び線間電圧を主巻線１と変速巻線４の巻数比によらず低くすることができる。この構成では、強弱切換えスイッチ５は一つで済み、回路構成は簡素である。
【００３５】
実施の形態１０．
図１７は、本実施の形態のコンデンサ誘導電動機の回路構成図、図１８は、その強運転時に電動機巻線にかかる電圧のベクトル図である。
【００３６】
図１７に示した本実施の形態のコンデンサ誘導電動機は、実施の形態１で示した直列相接続方式のコンデンサ誘導電動機について変速巻線４を一つ増やしたものである。このように変速巻線４を複数持たせることは、実施の形態２〜９についても可能である。図１８の強運転時の電圧のベクトル図に示すように強運転時の各変速巻線電圧のベクトルが主巻線電圧のベクトルに重なり、変速巻線４と主巻線１、補助巻線２との相間電圧がレアーショートを起こさない程度に小さくなり、レアーショートを防止するための相間の絶縁紙をなくすことができる。この構成では、多段の速度調整機能を備えさせることができ、強弱切換えスイッチ５を強、強弱切換えスイッチ５ａを強とした強運転、強弱切換えスイッチ５を弱、強弱切換えスイッチ５ａを強とした弱運転、強弱切換えスイッチ５を強、強弱切換えスイッチ５ａを弱とした弱運転、強弱切換えスイッチ５を弱、強弱切換えスイッチ５ａを弱とした弱運転と、変速巻線４二つで四通りの速度調整が実現できる。つまり、ｎ個の変速巻線４で２のｎ乗通りの速度調整が可能になる。
【図面の簡単な説明】
【００３７】
【図１】コンデンサ誘導電動機の回路構成図である。（実施の形態１）
【図２】その強運転時に電動機巻線にかかる電圧のベクトル図である。（実施の形態１）
【図３】コンデンサ誘導電動機の回路構成図である。（実施の形態２）
【図４】その強運転時に電動機巻線にかかる電圧のベクトル図である。（実施の形態２）
【図５】コンデンサ誘導電動機の回路構成図である。（実施の形態３）
【図６】その強運転時に電動機巻線にかかる電圧のベクトル図である。（実施の形態３）
【図７】コンデンサ誘導電動機の回路構成図である。（実施の形態４）
【図８】コンデンサ誘導電動機の回路構成図である。（実施の形態５）
【図９】その強運転時に電動機巻線にかかる電圧のベクトル図である。（実施の形態５）
【図１０】コンデンサ誘導電動機の回路構成図である。（実施の形態６）
【図１１】その強運転時に電動機巻線にかかる電圧のベクトル図である。（実施の形態６）
【図１２】コンデンサ誘導電動機の回路構成図である。（実施の形態７）
【図１３】その強運転時に電動機巻線にかかる電圧のベクトル図である。（実施の形態７）
【図１４】コンデンサ誘導電動機の回路構成図である。（実施の形態８）
【図１５】コンデンサ誘導電動機の回路構成図である。（実施の形態９）
【図１６】その強運転時に電動機巻線にかかる電圧のベクトル図である。（実施の形態９）
【図１７】コンデンサ誘導電動機の回路構成図である。（実施の形態１０）
【図１８】その強運転時に電動機巻線にかかる電圧のベクトル図である。（実施の形態１０）
【図１９】従来のコンデンサ誘導電動機の回路構成図である。
【図２０】その強運転時に電動機巻線にかかる電圧のベクトル図である。
【図２１】従来のコンデンサ誘導電動機の回路構成図である。
【図２２】その強運転時に電動機巻線にかかる電圧のベクトル図である。
【図２３】従来のコンデンサ誘導電動機の回路構成図である。
【図２４】その強運転時に電動機巻線にかかる電圧のベクトル図である。
【図２５】従来の固定子の構成を示す説明図である。
【符号の説明】
【００３８】
１  主巻線、  ２  補助巻線、  ３  起動用コンデンサ、  ４  変速巻線、  ５，５ａ  強弱切換えスイッチ、  ６  交流電源。
【図１】
2008167611.tif 000003
【図２】
2008167611.tif 000004
【図３】
2008167611.tif 000005
【図４】
2008167611.tif 000006
【図５】
2008167611.tif 000007
【図６】
2008167611.tif 000008
【図７】
2008167611.tif 000009
【図８】
2008167611.tif 000010
【図９】
2008167611.tif 000011
【図１０】
2008167611.tif 000012
【図１１】
2008167611.tif 000013
【図１２】
2008167611.tif 000014
【図１３】
2008167611.tif 000015
【図１４】
2008167611.tif 000016
【図１５】
2008167611.tif 000017
【図１６】
2008167611.tif 000018
【図１７】
2008167611.tif 000019
【図１８】
2008167611.tif 000020
【図１９】
2008167611.tif 000021
【図２０】
2008167611.tif 000022
【図２１】
2008167611.tif 000023
【図２２】
2008167611.tif 000024
【図２３】
2008167611.tif 000025
【図２４】
2008167611.tif 000026
【図２５】
2008167611.tif 000027